(57)【要約】  【課題】  注文者の注文を受けて刺繍を行うサービスに最適な刺繍シートであって、被刺繍物に対する刺繍すべき位置等を示す目印を備え、被刺繍物に対して取り付けたままの状態で刺繍を行うことが可能な刺繍シート等を提供すること。  【解決手段】  客からの注文を受け衣服等の被刺繍物に刺繍を行う際に使用する刺繍シートであって、表面には、刺繍される絵柄等の刺繍範囲を示す刺繍範囲表示部と、被刺繍物に対する刺繍位置を指定するための位置決めマークを備え、さらに同表面であって前記位置決めマークを除いた所定部分には、刺繍注文に関する事項を記載するための記載欄を備え、裏面には、被刺繍物に対して固定するための粘着部が、前記刺繍範囲に対応する部位を除いた所定箇所に設けられていること。【選択図】図１
2004204432.tif 000002
【特許請求の範囲】
【請求項１】
客からの注文を受け衣服等の被刺繍物に刺繍する際に使用する刺繍シートであって、
表面には、被刺繍物に対する刺繍位置を指定するための位置決めマークを備えたことを特徴とする刺繍シート。
【請求項２】
裏面には、被刺繍物に対して固定するための粘着部が設けられていることを特徴とする請求項１記載の刺繍シート。
【請求項３】
前記シートの素材が、溶剤若しくは水によって溶ける可溶性素材であることを特徴とする請求項１または２記載の刺繍シート。
【請求項４】
客からの注文を受け衣服等の被刺繍物に刺繍を行う際に使用する刺繍シートであって、
表面には、刺繍される絵柄等の刺繍範囲を示す刺繍範囲表示部と、被刺繍物に対する刺繍位置を指定するための位置決めマークを備え、
さらに同表面であって前記位置決めマークを除いた所定部分には、刺繍注文に関する事項を記載するための記載欄を備え、
裏面には、被刺繍物に対して固定するための粘着部が、前記刺繍範囲に対応する部位を除いた所定箇所に設けられていることを特徴とする刺繍シート。
【発明の詳細な説明】
【技術分野】
【０００１】
本願発明は、衣服等に刺繍を施す際に使用する位置決め用のシートに関するものであって、特に、注文を受けて衣服等に所定の刺繍を施すために用いられる刺繍の注文シートに適したものである。
【背景技術】
【０００２】
従来実公昭６１−１３５８９号公報（特許文献１）に開示された「刺繍模様輪郭シート」が知られている。当該シートは、刺繍される模様と同様の絵柄と、刺繍の際の姿勢を定める基準線や縫い始点が描かれており、当該シートを転写紙を介して被刺繍物である布に重ね合わせて絵柄の輪郭等をなぞることで、布に対して模様等を描き（転写し）、この模様等を利用して布を所定の自動刺繍ミシンにセットして刺繍を行うものであった。また、シートには自動刺繍ミシンに対する刺繍のデータに対応するデータカセットを示すインデックスが表示されているものである。
また、特許第３０７５３１６号公報（特許文献２）に開示された「コンピュータミシンによる刺しゅう布位置決め方法」が知られている。図柄と十字基準線が設けられた模様表示シートを用いて、刺繍が行われる布（被刺繍物）に前記十字基準線を付し、当該十字基準線を目印として被刺繍物をミシンに取付け、目的とする位置に刺繍を行うというものである。
【特許文献１】実公昭６１−１３５８９号公報
【特許文献２】特許第３０７５３１６号公報
【発明の開示】
【発明が解決しようとする課題】
【０００３】
前記従来の刺繍方法等は、被刺繍物となる布体に対して、刺繍される図柄の大きさや位置を考慮して、定めた位置に正確に刺繍を行うことができるというものである。
しかし、刺繍の前行程として刺繍される図柄が設けられた所定のシート体等を用いて、布体に対して直接十字基準線等の印を描くという作業が必要であった。また、それぞれに異なる顧客の注文に応じて、大量の刺繍を行う必要がある場合には、上記刺繍の方法では効率が悪く、生産性を高めることが出来ないという問題があった。
【０００４】
本願発明は上記の点に鑑み発明されたものであって、注文者の注文を受けて刺繍を行うサービスに最適な刺繍注文用のシートであって、被刺繍物に対する刺繍すべき位置等を示す目印を備え、被刺繍物に対して取り付けたままの状態で刺繍を行うことが可能な刺繍シートおよびその関連技術を提供することをその課題とする。
【課題を解決するための手段】
【０００５】
上記課題を解決するために、本願発明は以下に述べる構成を有する。すなわち、請求項１記載の発明は、
客からの注文を受け衣服等の被刺繍物に刺繍する際に使用する刺繍シートであって、
表面には、被刺繍物に対する刺繍位置を指定するための位置決めマークを備えたことを特徴とする刺繍シートである。
【０００６】
また、請求項２記載の発明は以下に述べる構成を有する。すなわち、請求項１記載の刺繍シートであって、
裏面には、被刺繍物に対して固定するための粘着部が設けられていることを特徴とする。
【０００７】
また、請求項３記載の発明は以下に述べる構成を有する。すなわち、請求項１または２のいずれか１項に記載された刺繍シートであって、
前記シートの素材が、溶剤若しくは水によって溶ける可溶性素材であることを特徴とする。
【０００８】
また、請求項４記載の発明は以下に述べる構成を有する。すなわち、
客からの注文を受け衣服等の被刺繍物に刺繍を行う際に使用する刺繍シートであって、
表面には、刺繍される絵柄等の刺繍範囲を示す刺繍範囲表示部と、被刺繍物に対する刺繍位置を指定するための位置決めマークを備え、
さらに同表面であって前記位置決めマークを除いた所定部分には、刺繍注文に関する事項を記載するための記載欄を備え、
裏面には、被刺繍物に対して固定するための粘着部が、前記刺繍範囲に対応する部位を除いた所定箇所に設けられていることを特徴とする刺繍シートである。
【発明の効果】
【０００９】
本願請求項１乃至３記載の発明は、前記シートを用いることにより、注文者からの注文を受けて、刺繍を施すサービスを円滑に効率よく行えるという効果を有している。
すなわち、従来のように被刺繍物に対して直接目印を書き込むようなことが必要なく、シートを貼り付けるだけで刺繍されるデザイン、刺繍位置、大きさ、向き等を特定できるという効果を有している。また、注文者から刺繍位置、大きさ、向きの指定を直接受けるので、仕上がり状態に対する注文者の不満を軽減させることができるという効果を有している。
【００１０】
また、請求項４記載の発明は、前記効果に加えて、刺繍注文に関する事項を記載するための記載欄を設けたため、当該記載欄を確認することによって刺繍を行うデザインを間違えたりするような危険性等を無くすことができるという効果を有している。
【発明を実施するための最良の形態】
【００１１】
以下本願発明に係る刺繍シートおよびその関連技術の一実施の形態を説明する。図１は本願発明に係る刺繍シートを正面側から見た状態を表し、図２は同刺繍シートを裏面から見た状態を表したものである。
図１において１は刺繍シート（以下単に「シート」と称する）を表しており、肉厚の薄い略方形のシート体として形成されている。
シート１の正面右側の領域には、大小二つの大楕円形Ｌおよび小楕円形Ｓが同軸上に描かれ、当該各楕円の中心を通過する互いに直交した二本の直線Ｘ、Ｙも同時に描かれている。
【００１２】
シート１の左欄には、注文者を記載する氏名欄１１、刺繍すべきデザインを特定して記載するためのデザイン欄１３が設けられている。また、あらかじめ用意されているフォントデザインによる文字や記号を用いて、注文者の名前やイニシャルを刺繍するための文字等指定欄１５、別途管理される受注台帳等によって注文内容を管理するための管理番号欄１７が設けられている。
さらに、シート１の略中央部分には前記楕円等を記載した右側領域１９と、氏名欄等を設けた左側領域２１を容易に切離可能とするためのミシン目２３が設けられている。
【００１３】
図２はシート１の裏面を表したものであるが、当該裏面には後述する被刺繍物である被服の布地に、シート１を固定するために粘着材を塗布した粘着部が複数箇所に設けられている。当該粘着部は、シート１の上下それぞれの縁部に沿った粘着部２５、２７と、左右の縁部に沿った粘着部２９、３１と略中央部の上下方向に亘って設けられた粘着部３３とからなっている。
なお、前記各粘着部は、少なくとも表面に描かれた楕円Ｌで囲まれた領域に相当する領域の裏面には設けられないようになっている。すなわち、当該領域は刺繍が行われた際に刺繍糸と布地によって覆われてしまう部分であり、この部分に粘着材が残存することを防止するためである。
【００１４】
シート１の素材について説明する。
本実施の形態では、シート１の素材の一例として、日本合成化学が取り扱っている「ハイセロン」という名称の商品が用いられる。当該「ハイセロン」は、水に溶ける水溶性の素材である。
その他、必要に応じて、摂氏１００度程度のお湯で溶ける「ソログロン」という名称の素材や、アイロン等による加熱で溶ける「ナイスフィルム」、「トリックフィルム」という名称の素材を用いることもできる。
【００１５】
シート１を用いて刺繍を行うために、所定の刺繍データに基づいて自動的に刺繍を行うことが可能な自動刺繍ミシン４１が用いられる。当該自動刺繍ミシン４１には、管理用コンピュータ４５と直接接続されるか、若しくはフレキシブルディスクその他の記録媒体を介して刺繍データが入力される。
詳細には説明を省略するが、当該刺繍データは所定のデザインを刺繍糸の縫い付けによって表現するために、自動刺繍ミシン４１上で平面的に移動可能な所定の移動テーブル４２に固定した布地を、縫い針の駆動に合わせて相対的に移動させるための移動データや、複数色の刺繍糸を用いる場合にはどの色の刺繍糸をセットした縫い針を選択するのか等のデータである。
なお、前記移動テーブル４２は、サーボモータ等の所定の駆動手段によって移動するように構成されている。
【００１６】
また、自動刺繍ミシン４１に刺繍データを入力することで所定の刺繍を行うことができるようになっているが、同一の刺繍データを基にして、実際に施される刺繍の大きさを選択的に若しくは任意に変えることが可能となっている。
すなわち、本実施の形態では、前記シート１の表面に表した２つの楕円Ｌ、Ｓの大きさに合わせて刺繍を行うことができるようになっている。これは、所定のデザインの刺繍データ（基本データ）に対する前記移動テーブル４２の移動距離を所定の比率に従って変化させることで、刺繍の大きさを選択的に変えるというものである。
したがって、同一の絵柄であっても、刺繍物のサイズ毎に刺繍データを保持する必要がなく、ＲＯＭやＲＡＭといったデータ記憶のための装置を増加させずに、注文者のニーズに対応することができるようになっている。
なお、当然ながら、データ上（計算上）は拡大、縮小が自在であっても、実際には刺繍糸の太さや、針を差し込む最小間隔等は一定であるので、単に移動テーブル４２等の駆動量を増減させただけでは刺繍糸がまばらになってしまったり、過密の状態となってしまう。したがって、移動量の増加、減少に合わせて、逐次適切な刺繍がおこなわれるように、移動テーブル４２の移動量に対応して針の動作回数（縫い数）を増加させたり、間引き等が行われるようになっている。
【００１７】
次に、本願に係るシート１を用いて、注文者からの注文を受けて被刺繍物であるシャツに対して刺繍を行うまでの一例を説明する。なお、刺繍サービスは、所定のサービス提供店に自己の所有するシャツ等の被刺繍物を持参し、注文を行うことにより行われる。
はじめに、所定のサービス提供店において、注文者によって予め用意されているデザインの中から刺繍するデザインが選択される。選択可能なデザインに関する詳細な説明は省略するが、当該デザインにはテレビやゲームで人気のある登場キャラクタを表したものや、動物、植物その他のデザインが用意されており、これらは番号によって特定されるようになっている。
注文者は、このように用意されたデザインの中から一つのデザインを選択し、デザイン欄１３に記載する（若しくはサービス提供店によって記入される）。
また、この際、刺繍の大きさを選択することができる。すなわち、図１に示すようにデザイン欄１３に「ＣＡＲＡ１２３−Ｌ」と記載した場合には、『ＣＡＲＡ１２３』という番号のデザインを選択し、当該デザインをＬサイズ（シート１の大楕円形Ｌに相当する大きさ）で刺繍することを指定したことになる。また、「ＣＡＲＡ１２３−Ｓ」と指定した場合には、上記と同じデザインであって、Ｓサイズ（シート１の小楕円形Ｓに相当する大きさ）で刺繍することを指定したことになる。
以上、デザイン欄１３に所定事項を記載することで、デザインの特定と同デザインが刺繍された際のサイズが指定される。
【００１８】
次いで、前記デザインの刺繍と同時に、例えば自己のイニシャル等の文字等を同時に刺繍するか否かを選択し、刺繍する場合には前記シート１の文字等指定欄１５に刺繍されるべき文字等を記載する。本実施形態の場合、文字等指定欄１５の記載によって刺繍されるものは、文字や記号等のフォントデータとして予め刺繍可能なデータとして記憶されているものに限られる。
ただし、他の例としては、任意に記載した図形をスキャナで読みとり、当該読みとったデータに従って刺繍することも可能であり、設備を備えている場合にはこのようなサービスも可能となる。
【００１９】
その他注文者に関する情報としてシート１の氏名欄１１に自己の氏名を記載し、必要に応じて注文日等も記入される。
このように、所定の記載事項がシート１に書き込まれた後、必要に応じてシート１の管理番号欄１７に記載された情報とともに、所定の注文台帳やコンピュータ等によって注文内容が管理される。
コンピュータによって注文内容を管理する場合には、どのようなデザインが何回注文されたのかが自動的に集計可能である。また、キャラクタデザインを使用する場合、一般的にその使用料が使用回数に応じて発生し、権利者に支払う必要がある。すなわち、このような権利者に対する使用料の算出をコンピュータを用いた注文管理によって自動的に行うことが可能となっている。
【００２０】
次に、前記所定事項を記載したシート１を、図４に示すように所定のシャツ５１に対して取り付ける。このシート１の取付位置および取付方向は、注文者の指示によって行われる。
この際、シート１に描かれた大小二つの大楕円形Ｌおよび小楕円形Ｓは、刺繍が行われる領域を示しているので、これらの楕円形を目安としてシート１がシャツ５１に対して直接とりつけられる。この取り付けられたシート１の楕円形領域がシャツ５１に対する刺繍領域となる。
また、シート１の裏面には前述のように粘着部２５、２７、２９、３１、３３が設けられており、これら粘着部を用いてシャツ５１に対して固定される。なお、粘着剤の種類として種々のものがあるが、好ましくは水溶性の素材であり、洗濯程度の水流等によって付着した布地から流れ落ちるようなものが好ましい。      
【００２１】
以上のように、シート１に対して所定事項が記載され、シート１を被刺繍物としての一例であるシャツ５１に取り付けた後、自動刺繍ミシン４１によって刺繍が行われる。この刺繍作業は、各地から集められた同様の刺繍依頼とともに、一般的に専用工場において行われる。次に、自動刺繍ミシン４１によって刺繍を行う場合について説明する。
自動刺繍ミシン４１は、前述のように、所定の記録媒体若しくはコンピュータとのオンラインによって所定の刺繍データを入力することにより、自動的に刺繍を行われるものである。
前記刺繍データは、シート１に記載されたデザイン欄１３の記載内容によって特定され、操作オペレータが該当する刺繍データを自動刺繍ミシン４１に入力し、前記シート１を取り付けたシャツ５１を自動刺繍ミシン４１にセットすることにより自動刺繍が可能となる。
この自動刺繍ミシン４１に対するシャツ５１のセットの際には、シート１に設けられた、いわゆる「トンボ」と証される直交した二本の直線Ｘ、Ｙが目安とされる。すなわち、当該直線Ｘ、Ｙの交点が自動刺繍ミシン４１に対する基準位置を示し、直線Ｘ、Ｙの向きが自動刺繍ミシン４１に対してセットされる向きを表している。
上記のように自動刺繍ミシン４１に対してシャツ５１をセットすることにより、シート１で指定した刺繍デザインが、シート１に描かれた楕円形領域の範囲内に刺繍されることになる。
【００２２】
また、前記刺繍の際には、シャツ５１にシート１を取り付けたままの状態で、刺繍が行われる。したがって、刺繍完了時にはシート１の一部分が刺繍糸とシャツ５１の布の間に残存した状態となるが、このように残存したシート１を取り除く場合には以下の作業を行う。
すなわち、本実施の形態ではシート１はその素材として水溶性の素材で形成されているので、シャツ５１自体を水洗い等することで、容易に残存したシート１を洗い流すことができるようになっている。なお、このシート１の除去作業は、注文者に刺繍済みのシャツ等を返却した後、注文者自身が洗濯することにより行うことも可能であるし、刺繍サービスと同時にクリーニングの依頼を受けていれば、このクリーニング作業によって除去することも可能である。
【００２３】
また、本実施の形態では、あらかじめ予測される残存する部位のシート１裏面には、粘着剤を設けないようにしているので、粘着剤が刺繍糸とシャツ５１の布の間に残存しないようになっている。これは、粘着剤自体も水溶性ではあるが、シート１の素材に比べて流出しにくいことを考慮したものである。
さらに、シート１に対して印刷している各楕円Ｌ、Ｓおよび直線Ｘ、Ｙ等は、所定のインクによって描かれているが、これらのインク素材はシート１を水につけた際に、被刺繍物の布地に転移してしみこまないような素材が選択されている。
【００２４】
なお、前記直線Ｘ、Ｙはインクではなく、シートに対する型押し（エンボス加工）やミシン目等によって形成してもよい。シート１は直線Ｘ、Ｙを設けたシート１の右側領域と、デザイン欄１３等を設たシート１の左側領域とをミシン目２３によって切り離すことができるようになっている。すなわち、直線Ｘ、Ｙをインクを使用せず形成することにより、シート１を除去する場合、ミシン目２３によってインクを使用した左側領域を取り去った後に同作業を行うことで、インクの布地に対する転移の可能性を皆無にすることがでる。
【００２５】
なお、以上説明した刺繍シートは、同一シートの表面上に、刺繍位置を示す位置決めマークとしての大小二つの大楕円形Ｌ、小楕円形Ｓおよび当該各楕円の中心を通過する互いに直交した二本の直線Ｘ、Ｙと、注文者を記載する氏名欄１１、刺繍すべきデザインを特定して記載するためのデザイン欄１３等の刺繍注文に関する事項を記載するための記載欄を備えたものである。
これに対して、他の実施例として、刺繍注文に関する事項を記載するための記載欄を設けず、刺繍位置を示す位置決めマークのみを設けたシートを形成することができる。すなわち、前述のような可溶性素材や不織布等によって形成したシートに対して、大小二つの大楕円形Ｌ、小楕円形Ｓや当該各楕円の中心を通過する互いに直交した二本の直線Ｘ、Ｙ等からなる刺繍位置を示す位置決めマークを形成し、その他の構成については前記実施の形態で説明したものと同様にする。
このようなシートを形成し使用することにより、注文者が自己の所有する被刺繍物の位置、向き、範囲等を任意に指定でき、注文を受けた側も被刺繍物に対する位置、向き、範囲等を間違えることなく認識することができ、注文通りの刺繍を行うことができるようになる。
【００２６】
また、前記発明の実施の形態においては、シートとして所定の有機溶剤若しくは水にとける可溶性素材として説明したが、可溶性素材ではない不織布等によるシートを用いることも可能である。
この場合、刺繍を完了するまでの一連の流れについては前記実施の形態と全く同一であるので、説明を省略する。
相違点は、刺繍完了後の処理であるが、この場合シートを溶かして除去することは出来ないが、刺繍が行われた部位のシート周縁は刺繍針によって多数の穴があけられた状態となっている。すなわち、切断用のミシン目を形成したのと同様の状態となっているので、刺繍部の輪郭に沿って簡単にシート体の不要部分を切り離すことが可能となっている。なお、刺繍糸に覆われたシートは、そのまま放置しておいても刺繍の仕上がりやその後の品質には影響がない。
【００２７】
さらに、他の実施例として、本願発明に係るシートを以下のような構造にすることができる。すなわち、被刺繍物である布地に対して実際に取り付けるシートの構造は前述の通りであるが、当該シートに対して注文者を記載する氏名欄や、刺繍すべきデザインを特定したり、管理番号等を記載する紙片やシートを数枚綴りにして取付るというものである。これは、お客様用の控えとして注文者に渡すシート、受付店等に保管する控え用シート、刺繍工場に対する注文書となるシート等を設けて、それぞれを引き離し可能に設けたものである。
このような刺繍シートを形成することにより、受注から品物の引き渡しまでの管理に適した、刺繍シートを提供することができる。
【図面の簡単な説明】
【００２８】
【図１】本願発明に係るシート体の正面図である。
【図２】本願発明に係るシート体の裏面図である。
【図３】本願発明の実施に使用するミシン等を説明するための説明図である。
【図４】本願発明の実施の一例を説明するための説明図である。
【符号の説明】
【００２９】
１  シート
１１  氏名欄
１３  デザイン欄
１５  文字等指定欄
１７  管理番号欄
１９  右側領域
２１  左側領域
２３  ミシン目
２５  粘着部
２７  粘着部
２９  粘着部
３１  粘着部
３３  粘着部
４１  自動刺繍ミシン
４２  移動テーブル
４５  管理用コンピュータ
５１  シャツ
【図１】
2004204432.tif 000003
【図２】
2004204432.tif 000004
【図４】
2004204432.tif 000005
【図３】
2004204432.tif 000006